(57)【要約】【課題】一時的な水位上昇によるドレン詰まり誤検知を防止する壁貫通設置型燃焼機器の提供。【解決手段】燃焼部と、燃焼部で発生した燃焼ガスから顕熱を回収する一次熱交換器と、一次熱交換器を通過した燃焼ガスから潜熱を回収する二次熱交換器と、ドレン水を中和する中和剤を充填したドレン水中和容器を有し、ドレン水中和容器は、中和剤を収容する中和容器本体と、中和容器本体へドレン水を流入させるドレン水流入部と、中和容器本体からドレン水を排出するドレン水排出部と、ドレン水流入部とドレン水排出部との間に配置される封水トラップ部と、ドレン水流入部と封水トラップ部との間に配置されるドレン水詰まり検知部と、を備え、ドレン水流入部とドレン水排出部とが壁面奥行方向と平行に配置されていることを特徴とする壁貫通設置型燃焼機器。【選択図】図５
2015094493.tif 000002
【特許請求の範囲】
【請求項１】
浴室の壁面に設けられた開口に取り付けられ、前記壁面を貫通し壁面奥行側に延出するように設けられた壁貫通設置型燃焼機器であって、
燃料ガスを燃焼するバーナを有する燃焼部と、
この燃焼部で発生した燃焼ガスから顕熱を回収する一次熱交換器と、
前記一次熱交換器を通過した燃焼ガスから潜熱を回収する二次熱交換器と、
潜熱回収に伴い発生するドレン水を中和する中和剤を充填したドレン水中和容器を有し、
前記ドレン水中和容器は、
前記中和剤を収容し、壁面奥行方向の長さが幅に対して長く形成された中空の中和容器本体と、
前記二次熱交換器下方に配置され、前記中和容器本体へ前記ドレン水を流入させるドレン水流入部と、
前記浴室側に配置され前記ドレン水流入部より下方に位置し前記中和容器本体から前記ドレン水を排出するドレン水排出部と、
前記ドレン水流入部と前記ドレン水排出部との間に配置される封水トラップ部と、
前記ドレン水流入部と前記封水トラップ部との間に配置されるドレン水詰まり検知部と、を備え、
前記ドレン水流入部と前記ドレン水排出部とが壁面奥行方向と平行に配置されていることを特徴とする壁貫通設置型燃焼機器。
【請求項２】
請求項１に記載の壁貫通設置型燃焼機器であって、
前記ドレン水中和容器が、前記燃焼部、又は前記一次熱交換器の側部に配置されていることを特徴とする壁貫通設置型燃焼機器。
【請求項３】
請求項１又は２に記載の壁貫通設置型燃焼機器であって、
その外周を覆う外装ケースを有し、
前記外装ケースの内部において、前記燃焼部と前記一次熱交換器と前記二次熱交換器と前記ドレン水中和容器は、壁面奥行側に配置され、
これらに接続され浴槽側に延びる接続配管は、浴室側に配置され、
前記ドレン水中和容器が、前記燃焼部と前記外装ケースの側面の間、又は前記一次熱交換器と前記外装ケースの側面の間に配置されていることを特徴とする壁貫通設置型燃焼機器。
【請求項４】
請求項１〜３のいずれか一項に記載の壁貫通設置型燃焼機器であって、
前記ドレン水中和容器の前記ドレン水排出部が、前記中和容器本体の底部から上方に延びる管路を有し、
前記中和容器本体の底部と前記ドレン水排出部との接続部分において、前記中和容器本体の底部を下方に突出されて貯水部を形成し封水トラップ部を構成することを特徴とする壁貫通設置型燃焼機器。
【請求項５】
請求項４に記載の壁貫通設置型燃焼機器であって、
前記封水トラップ部の貯水部の幅が、前記中和容器本体を下方に突出させない底部の幅より短尺であることを特徴とする壁貫通設置型燃焼機器。
【発明の詳細な説明】
【技術分野】
【０００１】
本発明は、潜熱回収によるドレン水を中和するドレン水中和容器を備えた壁貫通設置型燃焼機器に関する。
【背景技術】
【０００２】
燃焼機器の一種で、主に集合住宅用として用いられ、浴槽の横に配置されるバランス式風呂釜（以下、「ＢＦ釜」と言う）の取替え用として、浴室壁面に開口されたＢＦ釜の給排気筒設置部にＢＦ釜の機能をすべて移管した壁貫通設置型燃焼機器が知られている。また、潜熱回収型の熱交換器を備えたタイプの燃焼機器には、発生するドレン水は強酸性となるため、ドレン水を中和する中和剤を充填したドレン水中和容器が備えられている。
【０００３】
例えば、特許文献１に開示される壁貫通設置型燃焼機器のドレン水中和容器は、燃焼機器の壁貫通奥行方向長さを極力小さくするため、壁貫通奥行方向を短手方向とした略直方体形状を有している。また、このドレン水中和容器は、燃焼機器の内部において壁貫通方向の最も屋外側か、最も浴室側に配置されている。
【先行技術文献】
【特許文献】
【０００４】
【特許文献１】特開２０１２−２３７４７０号公報
【発明の概要】
【発明が解決しようとする課題】
【０００５】
壁貫通奥行方向を短手方向とした略直方体形状のドレン水中和容器は、ドレン排水経路の壁貫通奥行方向におけるドレン水中和容器の占める割合が小さいため中和容器以外のドレン配管の流れ勾配を確保するためには、ドレン水中和容器内でのドレン水出入口高低差を大きく確保することができない。したがって、中和容器内部のドレン詰まり検知部と定常水位との高さ方向の距離を大きくとることができずドレン詰まりを誤検知する虜があった。
【０００６】
また、ドレン水中和容器を燃焼機器の内部において壁貫通方向の最も浴室側に配置すると、燃焼機器の配管などのメンテナンス時に、ドレン水中和容器を着脱する必要が生じ、メンテナンスの簡易性が損なわれる。一方、ドレン水中和容器を燃焼機器の内部において壁貫通方向の最も屋外側に配置すると、冬期は屋外の冷気によりドレン水中和容器内のドレン水が凍結しやすいため、凍結防止策を施す必要が生じコスト上昇の原因となっていた。
【０００７】
特許文献１に記載のドレン水中和容器は、中和性能を確保するための中和剤を充填した中和剤充填部に仕切り壁が設けられ封水トラップを形成している。このドレン水中和容器は、中和剤充填部の仕切り壁下端までドレン水位が満たされていない場合に封水トラップを形成できない。しかしながら、夏場などドレン水量が発生しにくい条件下では、浴槽へのお湯張り試運転動作を実施しても確実に封水トラップが形成されない虜があった。
【０００８】
本発明は、上記従来の問題点を鑑みてなされたものであって、一時的な水位上昇によるドレン詰まり誤検知を防止する壁貫通設置型燃焼機器の提供を目的とする。また、中和容器の保温性能の向上、さらには浴室への燃焼ガスの流入を確実に防止可能な中和容器を備えた壁貫通設置型燃焼機器の提供を目的とする。
【課題を解決するための手段】
【０００９】
本発明の壁貫通設置型燃焼機器は、以下の（１）〜（５）の構成を有する。
（１）  浴室の壁面に設けられた開口に取り付けられ、前記壁面を貫通し壁面奥行側に延出するように設けられた壁貫通設置型燃焼機器であって、
燃料ガスを燃焼するバーナを有する燃焼部と、
この燃焼部で発生した燃焼ガスから顕熱を回収する一次熱交換器と、
前記一次熱交換器を通過した燃焼ガスから潜熱を回収する二次熱交換器と、
潜熱回収に伴い発生するドレン水を中和する中和剤を充填したドレン水中和容器を有し、
前記ドレン水中和容器は、
前記中和剤を収容し、壁面奥行方向の長さが幅に対して長く形成された中空の中和容器本体と、
前記二次熱交換器下方に配置され、前記中和容器本体へ前記ドレン水を流入させるドレン水流入部と、
前記浴室側に配置され前記ドレン水流入部より下方に位置し前記中和容器本体から前記ドレン水を排出するドレン水排出部と、
前記ドレン水流入部と前記ドレン水排出部との間に配置される封水トラップ部と、
前記ドレン水流入部と前記封水トラップ部との間に配置されるドレン水詰まり検知部と、を備え、
前記ドレン水流入部と前記ドレン水排出部とが壁面奥行方向と平行に配置されていることを特徴とする壁貫通設置型燃焼機器。
（２）  （１）に記載の壁貫通設置型燃焼機器であって、
前記ドレン水中和容器が、前記燃焼部、又は前記一次熱交換器の側部に配置されていることを特徴とする壁貫通設置型燃焼機器。
（３）  （１）又は（２）に記載の壁貫通設置型燃焼機器であって、
その外周を覆う外装ケースを有し、
前記外装ケースの内部において、前記燃焼部と前記一次熱交換器と前記二次熱交換器と前記ドレン水中和容器は、壁面奥行側に配置され、
これらに接続され浴槽側に延びる接続配管は、浴室側に配置され、
前記ドレン水中和容器が、前記燃焼部と前記外装ケースの側面の間、又は前記一次熱交換器と前記外装ケースの側面の間に配置されていることを特徴とする壁貫通設置型燃焼機器。
（４）  （１）〜（３）のいずれか一項に記載の壁貫通設置型燃焼機器であって、
前記ドレン水中和容器の前記ドレン水排出部が、前記中和容器本体の底部から上方に延びる管路を有し、
前記中和容器本体の底部と前記ドレン水排出部との接続部分において、前記中和容器本体の底部を下方に突出されて貯水部を形成し封水トラップ部を構成することを特徴とする壁貫通設置型燃焼機器。
（５）  （４）に記載の壁貫通設置型燃焼機器であって、
前記封水トラップ部の貯水部の幅が、前記中和容器本体を下方に突出させない底部の幅より短尺であることを特徴とする壁貫通設置型燃焼機器。
【発明の効果】
【００１０】
本発明によれば、ドレン水流入部とドレン水排水部を壁面奥行方向と平行に配置することで、ドレン水の流れの方向を壁面奥行方向と平行にできる。これにより、ドレン水中和容器の内部において、ドレン水の出入口高低差を大きく確保できる。これにより、詰まり検知部と定常水位との距離を大きく（例えば１００ｍｍ以上）とることで雨水進入時等による排水詰まり誤検知を防止することができる。
【００１１】
また、ドレン水中和容器を燃焼部の側部に配置する場合においては、燃焼時の輻射熱にてドレン水中和容器内のドレン水を保温できる。また、一次熱交換器の側部に配置する場合においては、熱交換器の凍結防止装置を流用してドレン水中和容器を保温できる。したがって、新たに凍結防止装置を設ける必要がなくコストを低減できる。加えて、保温により中和反応を促進させることができる。
【００１２】
また、ドレン水中和容器を前記燃焼部と前記外装ケースの側面の間、又は前記一次熱交換器と前記外装ケースの側面の間に配置する場合においては、より効果的にドレン水中和容器内のドレン水を保温できる。加えて、浴室側に位置する本体前面側から配管接続部やガス電磁弁等の機能部品の点検が可能となり、メンテナンス性が向上する。さらに、ドレン水中和容器においても浴室内へ本体を引き出した状態において、本体側面より確認が可能となり、詰まり確認やドレン水中和容器の交換及び中和剤の充填作業が容易となる。
【００１３】
また、中和容器の詰まり検知部の下流側において、中和容器本体の底部の一部を下方に突出して貯水部を配置し、封水トラップ部を構成する場合においては、貯水部を満たせば、ドレン水が少量であっても封水トラップを形成できる。
【００１４】
貯水部が、壁貫通水平方向長さをドレン水中和容器の突出させない部分より短尺であることにより、封水トラップ部容積の低減が図れる。これにより封水ドレン水量をさらに少量とでき、夏期における初期試運転時においても封水トラップを形成可能となる。
【図面の簡単な説明】
【００１５】
【図１】本発明の実施形態に係る壁貫通設置型燃焼機器の動作原理を表わす模式図を示す。
【図２】本発明の実施形態に係る壁貫通設置型燃焼機器の設置例図であり、浴槽短手面からみたときの透視図を示す。
【図３】本発明の実施形態に係る壁貫通設置型燃焼機器の正面図（浴室側から見た図）を示す。
【図４】本発明の実施形態に係る壁貫通設置型燃焼機器の正面図（浴室側から見た図）であり本体前カバーを取り外した状態を示す。
【図５】本発明の実施形態に係る壁貫通設置型燃焼機器の側面図を示す。
【図６】本発明の実施形態に係る壁貫通設置型燃焼機器の側面図であり、ドレン水中和容器の一部を破断したものを示す。
【図７】本発明の実施形態に係る壁貫通設置型燃焼機器の背面図（屋外側から見た図）を示す。
【図８】本発明の実施形態に係る壁貫通設置型燃焼機器の底面図を示す。
【図９】本発明の実施形態に採用されるドレン水中和容器の断面図を示す。
【図１０】図９に示すドレン水中和容器の前面図を示す。
【発明を実施するための形態】
【００１６】
図１は、本発明の実施形態である燃焼機器１（壁貫通設置型燃焼機器）の動作原理を説明する模式図である。以下に、図１に基づき、本実施形態に係る燃焼機器１について、基本構造に加え、湯水の流れ、ガスの流れ等に関連付けて説明する。
本実施形態の燃焼機器１は、給湯機能を果たす潜熱回収式熱交換装置４６とドレン水中和容器７を備えて概略構成される。
【００１７】
潜熱回収式熱交換装置４６には、燃焼部１５とその上に設けられた一次熱交換器１４および二次熱交換器１３が設けられている。
潜熱回収式熱交換装置４６を通過した燃焼ガスは排気口５３から排気される。二次熱交換器１３から排気口５３に至る部分の底部にはドレン水受け皿５が設けられ、これらがドレン配管６を介してドレン水中和容器７に接続されている。また、ドレン水中和容器７にはドレンホース８が接続されている。
この例の燃焼機器１においては、燃焼部１５、一次熱交換器１４および二次熱交換器１３を図示略の外装ケースの内部に収容して燃焼機器本体１Ａが大略構成される。また、燃焼機器本体１Ａの内部にはドレン水中和容器７が備えられ、燃焼機器本体１Ａの排気口５３には、排気フード（図１中図示略）が備えられている。ドレン水中和容器７の内部には炭酸カルシウムなどの中和剤１１がそれぞれ必要量充填されている。
【００１８】
（湯水の流れ）
まず、図１に示す燃焼機器１において、潜熱回収式熱交換装置４６における湯水の流れについて説明する。湯水が燃焼機器本体１Ａに設けられている給水配管接続部２から給水され、水量センサ３によって、潜熱回収式熱交換装置４６に供給される水流が検知可能である。
【００１９】
水量センサ３を通った湯水は、接続配管１３Ａを介し二次熱交換器１３に導かれ、燃焼ガスから潜熱を回収する。さらに一次熱交換器１４に接続配管１４Ａを介し導かれ、この一次熱交換器１４で燃焼ガスからの顕熱を回収する。この顕熱を回収した湯水は、接続配管２２Ａを介し湯水を浴室等に供給する給湯配管２８を接続する給湯配管接続部２２を通り、給湯栓から使用される。また、この湯水は、お湯張り電磁弁１８、注湯接続管２４Ａを通り注湯配管接続部２４を介して浴槽３２内へ供給する場合もある。
【００２０】
（燃焼ガスの流れ）
次に、図１に示す燃焼機器１において、燃料ガスの流れについて説明する。
潜熱回収式熱交換装置４６において、燃料ガスは、ガス配管接続部２３からガス電磁弁１６を経由して、燃焼部１５へ接続配管１５Ａを介し供給されて燃焼し、高温の燃焼ガスを発生させる。その燃焼ガスは、まず、一次熱交換器１４を通過し、その際に顕熱を放熱する。顕熱を放熱した後に低温の燃焼ガスとなる。
次に、この燃焼ガスは、二次熱交換器１３を通過し、その際に潜熱を放熱する。そして、潜熱を放熱した燃焼ガスは、排気口５３から器具外へ排気される。
【００２１】
（ドレン水の流れ）
次に、ドレン水４４の流れについて説明する。二次熱交換器１３で燃焼ガスから潜熱が回収されると、燃焼ガスの温度は、２００℃程度から約６０℃程度まで低下する。これとともに、燃焼ガスに含まれる水蒸気が凝縮し、二次熱交換器１３には結露水が発生する。
この結露水は燃焼ガス中の窒素酸化物成分等を含んでｐＨ３程度の強酸性のドレン水４４となる。このため、二次熱交換器１３で発生したこれらのドレン水４４は、それを回収するためのドレン水受け皿５にて回収され、ドレン水受け皿５に接続されたドレン配管６を通った後、炭酸カルシウムを充填したドレン水中和容器７に流入する。
ドレン水中和容器７は、ドレン水４４を中和するために設けられたタンクであり、内部には炭酸カルシウム等の中和剤１１が充填されている。ドレン水中和容器７にて中和されたドレン水４４はドレンホース８を通り、ドレン配管貫通部１２を介して外部に排水される。ドレン水中和容器７の詳細な構成については、後段にて説明する。
【００２２】
（浴室への設置例）
図２は、本実施形態の燃焼機器１（壁貫通設置型燃焼機器）を浴室１９に設置したときの設置例を示す図であり、浴槽短手面から見たときの透視図である。燃焼機器１は、浴室１９の壁面１７に設けられた開口１７Ａに取り付けられ壁面１７を貫通し、屋外２１側（壁面奥行側）に延出するように設けられている。
なお、各図にＸ−Ｙ−Ｚ座標系を記載した。本明細書においては、各図のＸ−Ｙ−Ｚ座標系に示すように、鉛直方向をＺ方向、水平方向であって壁面延在方向をＸ方向、水平方向であって浴室１９の壁面奥行側をＹ方向として説明を行う。
【００２３】
燃焼機器１が設置される壁面１７の開口１７Ａは、その穴寸法が一般的に水平方向（Ｘ方向）に約２４０ｍｍ、高さ方向（Ｚ方向）に約３６０ｍｍとされている。即ち、開口１７Ａの面積には制限があるため、壁貫通部内の機能部品は壁貫通奥行方向（Ｙ方向）へ並べて配置される。これにより、燃焼機器１は、壁貫通奥行方向（Ｙ方向）に長く形成され、Ｘ方向の長さよりＹ方向に長く延びた形状となっている場合が多い。
【００２４】
燃焼機器１の浴室１９側には、各種配管が接続されている。これらの配管は、燃焼機器１に水を供給する給水配管２７と、燃焼機器１で加熱された湯を浴室内に供給する給湯配管２８と、燃焼機器１に燃料を供給するガス配管２９と、浴槽３２へ加熱された湯を供給するための注湯配管３０等がある。
注湯配管３０は、浴槽３２に取り付けられた循環金具９に接続されている。給湯配管２８は、浴槽３２の上縁面等に設置された水栓３８に接続される。浴槽３２には、脱着可能なエプロン２０が取り付けられている。
【００２５】
燃焼機器１は、外装ケース５１（筐体）によって、ケーシングされた構成を有する。外装ケース５１には、吸気口１０、排気口５３、排気フード４が設けられている。
燃焼用空気は、燃焼機器１の屋外側下部に形成されている吸気口１０から、屋外２１空気を器具本体内に吸気し、燃焼部１５（図１参照）に供給される。燃焼部１５で発生し顕熱及び潜熱を放熱した燃焼ガスは、燃焼機器１の屋外側上部に形成されている排気口５３により屋外２１に排出される。なお、排気口５３には、排気フード４が取り付けられている。
【００２６】
図３に、燃焼機器１を浴室１９側から見た正面図を示す。なお、本明細書において、燃焼機器１は、浴室側から見た図を正面図とし、屋外側から見た図を背面図とする。また、浴槽側を燃焼機器１の前方、屋外側を燃焼機器１の後方として説明する。
燃焼機器１の下側には、給水配管２７に接続される給水配管接続部２と、給湯配管２８に接続される給湯配管接続部２２と、ガス配管２９に接続されるガス配管接続部２３と、注湯配管３０に接続される注湯配管接続部２４を有している。
【００２７】
燃焼機器１において浴室内側に設けられている本体前カバー２６は脱着可能であり、器具設置時やメンテナンス時等に取り外される。
図４に本体前カバー２６を取り外した状態の燃焼機器１の正面図を示す。燃焼機器１の本体内部を防水する本体前カバー２６を外すことで、浴室内から本体内部のコントローラ５０、給水、給湯、ガス供給に用いられる接続配管１３Ａ、１５Ａ、２２Ａ、ガス電磁弁１６等のメンテナンスが可能となる。
さらに壁貫通奥行方向屋外側に位置する部品については、外装ケース５１と本体内部を浴室側で固定した４隅の本体ねじ固定部３７を外し、浴室側へ引き出すことによりメンテナンスが可能となる。
【００２８】
図５、図６は燃焼機器１の側面図である。なお図５、図６においては、外装ケース５１の一部を透視して示す。また、図５と図６は、同方向からの側面図であって図６においては、ドレン水中和容器７の一部を破断して本体内部の構成部を見えやすくするように図示した。
【００２９】
バーナを有する燃焼機器１の下部には燃焼部１５が配置されている。燃焼部１５の前方上部には、燃焼部１５に外気から取り入れた空気を送風するファン５８が配置されている。燃焼部１５の上方には一次熱交換器１４が配置され、さらにその上方には二次熱交換器１３が配置され、潜熱回収式熱交換装置４６を構成している。また、燃焼ガスの経路において、二次熱交換器１３の下流側には、屋外側上部に形成された排気口５３が接続されている。
燃焼ガスを排気口５３より屋外２１に排出するため、燃焼部１５、一次熱交換器１４、及び二次熱交換器１３は、燃焼機器１の内部において、最も屋外側に配置することが好ましい。このように配置することで必然的に、給水、給湯、ガス供給に用いられる接続配管１３Ａ、１５Ａ、２２Ａ、ガス電磁弁１６等は、燃焼機器１の内部において、浴室側に配置されることになる。
【００３０】
ドレン水の回収に必要なドレン水受け皿５はドレン水の回収が容易となる二次熱交換器１３の下流側において、下方に膨出するように形成されている。このような形状とすることで、二次熱交換器１３における潜熱回収に伴い発生するドレン水を一所に集めて回収できる。ドレン水受け皿５に集められたドレン水は、ドレン配管６、ドレン水中和容器７、ドレンホース８、ドレン配管貫通部１２を通り浴室１９側に排出される。
【００３１】
図９に断面図として示すようにドレン水中和容器７は、中和剤１１を収容する中空の中和容器本体３４と、中和容器本体３４へドレン水を流入させるドレン水流入部３３と、中和容器本体３４からドレン水を排出するドレン水排出部３５を有する。ドレン配管６から導入されたドレン水は、ドレン水流入部３３、中和容器本体３４、ドレン水排出部３５を経て、ドレンホース８に流される。ドレン水中和容器７は、略直方体形状を有している。また、ドレン水中和容器７は、燃焼機器１の奥行方向（Ｙ方向）に長く、幅方向（Ｘ方向）に短い扁平形状となっており、奥行方向（Ｙ方向）に長手方向を形成している。
図５に示すように、このドレン水中和容器７は、燃焼機器１の内部において、ドレン水流入部３３とドレン水排出部３５が、この長手方向に並ぶように配置されている。即ち、ドレン水流入部３３とドレン水排出部３５は、壁面奥行方向と平行に配置されている。また、ドレン水排出部３５は、燃焼機器１の内部において浴室側に配置され、ドレン水流入部３３は、屋外側に配置されている。
【００３２】
ドレン水の排水経路の排水勾配は、ドレン水受け皿５からと浴室内のドレン配管貫通部１２までの配管経路の長さと高低差により決定される。したがって、ドレン水の排水経路が長くなると、排水勾配を大きくとることができない。また、ドレン水の排水経路の一部を構成するドレン水中和容器７において、ドレン水流入部３３とドレン水排出部３５の高低差を十分に確保できなくなる。
本実施形態の燃焼機器１は、ドレン水流入部３３とドレン水排出部３５は、壁面奥行方向と平行に配置されている。これにより、ドレン水の排水経路は、燃焼機器１の内部において、奥行方向（Ｙ方向）に構成される割合が大きくなり、逆にドレン配管６、ドレンホース８の長さが短くなるためドレン配管６、ドレンホース８の流れ勾配による高低差を少なくすることができる。したがってドレン水中和容器７において、ドレン水流入部３３とドレン水排出部３５の高低差を大きくとることができる。
【００３３】
ドレン水流入部３３は、ドレン水受け皿５の直下に配置されていることが好ましい。ドレン水受け皿５の直下にドレン水流入部３３を設けることで、ドレン水受け皿５とドレン水流入部３３の高低差を最小とすることができる。これにより、さらに排水経路の高低差を大きくとることができる。加えて、ドレン配管６を極力短くすることができる。酸性のドレン水が通過するドレン配管６は、腐食を避けるため高価な材質からなるものを用いる必要があるため、ドレン配管６を短くすることでコストを抑えることができる。
【００３４】
図７に燃焼機器１を屋外２１側から見た背面図を示し、図８に燃焼機器１の底面図を示す。なお、これらの図においては、外装ケース５１の一部を透視して示し、説明のため一部の構成部品を省略して図示している。
ドレン水中和容器７は、燃焼機器１の内部において、燃焼部１５及び一次熱交換器１４の側部と外装ケース５１の側面の間に配置されている。また、ドレン水中和容器７は、燃焼機器１の奥行方向（Ｙ方向）を長手方向とする扁平形状であり、最も大きな面積を有する側面が燃焼部１５及び一次熱交換器１４に沿うように配置されている。
【００３５】
一次熱交換器１４には冬季の凍結を防止するためのセラミックヒータ５９が搭載されている（図６、図７参照）。セラミックヒータ５９は、一次熱交換器１４の外胴から顕熱を得るために外胴にロウ付けされた配管６０（蛇管）に固定されている。セラミックヒータ５９は、一次熱交換器１４の側面や背面に配置されている。このセラミックヒータ５９は、冬季、外気温が低下した場合に通電され、一次熱交換器１４の材質である銅やステンレスを加熱し蛇管６０の内部の水を保温する。セラミックヒータ５９は、通電されることで温度上昇し、これによって、一次熱交換器１４内部の水が凍結することを防ぐと伴に、一次熱交換器１４の周囲の雰囲気に対しても保温効果を得ることができる。したがって、ドレン水中和容器７を一次熱交換器１４の側部に沿って配置することで、屋外２１の温度が低下しても（例えば、−１５℃程度となっても）一次熱交換器１４側面に配置したドレン水中和容器７の雰囲気は０℃以上に維持される。これにより、ドレン水中和容器７内のドレン水の凍結防止が可能となる。
加えて、燃焼機器１が燃焼動作中においては、一次熱交換器１４の温度上昇による輻射熱によってドレン水中和容器７の雰囲気及びドレン水中和容器７内部のドレン水が保温され凍結を防ぐのみならず、中和反応の促進を図ることができる。
【００３６】
（ドレン水中和容器）
ドレン水中和容器７の詳細構造について図９、図１０を基に説明する。ドレン水中和容器７は、ドレン水の排水経路上流側から順に、ドレン水流入部３３と、中和剤１１を収容する中空の中和容器本体３４（中和剤充填部）と、封水トラップ部３６と、ドレン水排出部３５とを備える。また、中和容器本体３４の上方には、ドレン水詰まり検知部４３を備えている。
【００３７】
中和容器本体３４は、最も広い面積を有する側面壁７ａ、７ａと幅狭で縦長の背面壁７ｂおよび前面壁７ｃと、底壁７ｄおよび天井壁７ｅとから概略構成された縦長かつ薄型の樹脂製一体もののタンクである。背面壁７ｂの高さ方向中央側にドレン水流入部３３が形成され、前面壁７ｃの底部側にドレン水排出部３５が形成されている。
中和容器本体３４の天井部中央には中和剤投入口を構成する筒型の投入部７ｆが形成されている。この投入部７ｆの外周部には、ねじ部が形成されていて、この投入部７ｆにはキャップが着脱自在に装着される。
【００３８】
ドレン水中和容器７はブロー成形により一体成形されているので、ドレン水中和容器７の背面壁７ｂと前面壁７ｃと底壁７ｄと天井壁７ｅのそれぞれの幅方向中央部分に沿ってブロー成形時に形成されたコンプレッションリブ４２ｂ、４２ｃ、４２ｄ、４２ｅが形成されている。このコンプレッションリブ４２ｂ、４２ｃ、４２ｄ、４２ｅは、ドレン水中和容器７のほぼ全周に形成され、ドレン水中和容器７を補強する役割を果たしている。
また、これらのうち、天井壁７ｅに形成される一対のコンプレッションリブ４２ｅ、４２ｅ、並びに底壁７ｄに形成されるコンプレッションリブ４２ｄは、燃焼機器１の内部におけるドレン水中和容器７の固定に使用される（後段に詳しく説明する）。
【００３９】
ドレン水流入部３３は、流入管３３Ａと、この流入管３３Ａおよび背面壁７ｂの間に形成された溜まり部３３Ｂと、この溜まり部３３Ｂと背面壁７ｂの接続部分に縦長に形成された流入側スリット部３３ａから構成されている。流入側スリット部３３ａは、中和剤１１の粒径よりも小さなスリット幅とされ、ドレン水４４がこの流入側スリット部３３ａを介しドレン水中和容器７の内部に流れ込むことができ、中和剤１１は流入側スリット部３３ａを介し外部に出ないように構成されている。
【００４０】
ドレン水排出部３５は、前面壁７ｃに沿って上方に立ち上がるように前面壁７ｃと一体に形成された管路３５Ａと、この管路３５Ａの上端からＵ字形下向きに連続する管路３５Ｂとを備えている。管路３５Ｂの下流端には、ドレンホース８が接続される排出管３５Ｃが形成されている。また、ドレン水排出部３５は、管路３５Ａと管路３５Ｂの間には、中央縦長に配された排出側スリット部３５ａを備えている。この排出側スリット部３５ａは中央縦長に配置され、中和剤１１の粒径よりも小さなスリット幅とされている。このスリット幅は流入側スリット部３３ａと同幅とすることができ、中和剤１１の流出を防ぎつつドレン水４４を排出することができる。
【００４１】
中和容器本体３４と、ドレン水排出部３５の接続部には、封水トラップ部３６が形成されている。中和容器本体３４の底部３４ａとドレン水排出部３５の管路３５Ａとの接続部分は、下方に突出する貯水部３６ａが形成されている。この貯水部３６ａにドレン水４４が貯まり、管路３５Ａと中和容器本体３４を区画する仕切り壁３６ｂの下端にドレン水４４が達することで、封水トラップ部３６として機能する。仕切り壁３６ｂの下端は、中和容器本体３４の底部３４ａと同一面（もしくは、底部３４ａより下方）に形成されている。したがって、中和容器本体３４の底部３４ａに一定の水位のドレン水４４が貯まっていなくても、貯水部３６ａにドレン水が貯まっていれば封水トラップを機能させることができる。即ち、このような構成とすることで封水トラップを機能させるドレン水量を低減できる。さらには、底壁７ｄ全体を前方に（貯水部３６ａ側に）傾斜をつけておくこともできる。これによりドレン水４４の水量が少ない場合であっても、ドレン水４４が底壁７ｄから貯水部３６ａに流れこみ、設置状態によらず、封水トラップを機能させることができる。
封水トラップを機能させることでドレン水４４と共に中和容器本体３４に侵入する排気ガスが燃焼機器１の外部へ排出されてしまうことを防止できる。
【００４２】
本実施形態のドレン水中和容器７は、下方に突出された貯水部３６ａのＸ方向寸法（幅）Ｗ２は、約３０ｍｍとなっている。また、下方に突出させていない中和容器本体３４のＸ方向寸法（幅）Ｗ１は、５０ｍｍとなっている。（図１０参照）
このように、幅Ｗ２が幅Ｗ１に対して短尺となっていることで、封水トラップを機能させるために必要な水量をより低減させることができる。なお、本実施形態のドレン水中和容器７においては、貯水部３６ａの容積は、約３０ｃｃである。これにより、数分程度の試運転動作で貯水部３６ａにドレン水４４が貯まり封水トラップを機能させることができる。
【００４３】
加えて、封水トラップ部３６を中和容器本体３４とドレン水排出部３５の接続部に配置することで、中和容器本体３４の内部に封水構造を形成する必要がない。したがって、中和容器本体３４の形状の自由度が向上する。
具体的には中和容器本体３４の内部に封水用の仕切り板が不要となる。これにより、中和容器本体３４の内部は単一空間とすることができる。したがって、同一サイズの中和容器に対する中和剤１１の充填量が増加し、中和性能の向上やドレン水中和容器７の小型化を実現できる。さらに、中和容器本体３４の内部空間を仕切りなどのない単一空間とすることで、中和剤の投入口も単一とすることが可能となり、中和剤の充填作業の軽減が図れる。
【００４４】
前面壁７ｃにおいて封水トラップ部３６の上方にドレン水詰まり検知部４３が形成されている。この詰まり検知部４３は、前面壁７ｃの外方に樽型に膨出するように形成され、ドレン水中和容器７を構成する樹脂からブロー成形時に一体成形されてなる。
中和容器本体３４とドレン水詰まり検知部４３の境界部には、検知側スリット部４３ａが形成されている。この検知側スリット部４３ａのスリット幅は流入側スリット部３３ａ、排出側スリット部３５ａと同幅とすることができ、中和剤１１がドレン水詰まり検知部４３に流出することを防ぎ役割を果たす。
【００４５】
樽型中空の詰まり検知部４３の上部には検知装置３９が設けられている。検知装置３９は、詰まり検知部４３の内部にドレン水が流入した場合にそれを検知することができる。中和容器本体３４より下流のドレン水排水経路において詰りが発生した場合には、中和容器本体３４内のドレン水の水位が上昇し、詰まり検知部４３内にドレン水が流れ込む。検知装置３９は、これを検知して詰り発生を検出する。
なお、詰まり検知部４３は、ドレン水流入部３３より低い位置に設けられることが好ましい。このような位置関係とすることで、詰まりが発生しドレン水流入部３３にドレン水が逆流する前に詰まりを検知できる。
詰まり検知装置３９はねじや金属棒、サーミスタなどが考えられるが特に限定はしない。本実施形態においては詰まり検知部４３の天井部を上下に貫通した細長い棒状の詰まり検知装置３９が設けられている。
【００４６】
本実施形態のドレン水中和容器７の中和容器本体３４は、長手水平方向Ｌ（即ち壁貫通奥行方向であり、Ｙ方向）を約２００ｍｍとし、幅Ｗ１（即ちＸ方向）を最大で約５０ｍｍ、高さ（即ちＺ方向）を１５０ｍｍとする略直方体形状となっている。これにより、中和容器本体３４は、１５年相当の燃焼負荷によって発生するドレン水量の中和に必要な中和剤１１を格納できる１．５Ｌの容積を有する。
【００４７】
上述したように、ドレン水中和容器７は燃焼機器１の内部において、ドレン水流入部３３とドレン水排出部３５は、壁面奥行方向（Ｙ方向）と平行に配置されている（例えば、図５参照）。これにより、ドレン水の排水経路が短くなる。また、排水経路の一部を構成するドレン水中和容器７において、ドレン水流入部３３とドレン水排出部３５の高低差を大きくとることができる。
本実施形態の燃焼機器１においては、設置条件（壁面１７の開口１７Ａは、Ｘ方向に約２４０ｍｍ、Ｚ方向に約３６０ｍｍ）に基づき、ドレン水受け皿５からドレン配管貫通部１２との壁貫通奥行方向が５００ｍｍ、高さ方向が３００ｍｍである。このとき、ドレン水中和容器７の長手方向（Ｙ方向）Ｌを２００ｍｍとする。ドレン水中和容器７のドレン水排出部３５からドレン配管貫通部１２までのドレン水排出経路は、一定の勾配が必要である。ドレン水中和容器７の長手方向Ｌを２００ｍｍとしＹ方向に配置することで、中和容器の容積を確保するとともに、ドレン水排出部３５からドレン配管貫通部１２までの距離を短くできる。この距離を短くすることで、ドレン水排出部３５を低い位置に設けても、ドレン水排出部３５からドレン配管貫通部１２の排出経路の勾配を確保できる。すなわち、ドレン水排出部３５を低い位置に設けることができる。
これにより、ドレン水流入部３３とドレン水排出部３５の高低差Ｈ１を１２５ｍｍとすることができ、詰まり検知部４３の検知装置３９と定常水位との鉛直離隔距離Ｈ２は１００ｍｍとすることができる。（図９参照）
一般的に、詰まり検知部４３の検知装置３９と定常水位との鉛直離隔距離Ｈ２は略１００ｍｍの鉛直離隔距離を確保し、更に大きくとることにより誤検知防止が図られる。これは、距離Ｈ２が小さいと、多量の雨水が、排気口５３から侵入しドレン配管６を経由してドレン水中和容器７に流入した場合や、ドレン排水経路内に微小なゴミ等の異物が侵入した場合の一時的な排水不良による水位上昇によりドレン詰まりを誤検知してしまう虜があるためである。したがって、ドレン水中和容器７のドレン水流入部３３とドレン水排出部３５を燃焼機器１の内部において、壁面奥行方向（Ｙ方向）と平行に配置することで、誤検知を抑止できる。
【００４８】
次に、ドレン水中和容器７の固定方法について、図５、図６、図８、図９を基に説明する。ドレン水中和容器７の固定は、支持金具４１と一対の吊り金具４０によりなされている。支持金具４１は、ドレン水中和容器７を下方から保持する金具であり、吊り金具４０は、ドレン水中和容器７を上部で固定する金具である。
支持金具４１は、ねじ又はスポット溶接などの固定手段で燃焼部１５の側面に固定されており、水平方向に延びる水平片４１ａを有している。
図８に示すように、水平片４１ａには、長孔４１ｂが形成されており、この長孔４１ｂは、ドレン水中和容器７の底壁７ｄから下方に突出するコンプレッションリブ４２ｄ（図９参照）に対応する大きさとなっている。より具体的には、長孔４１ｂは幅５ｍｍとして穿孔されており、コンプレッションリブ４２ｄは幅３ｍｍに形成されている。ドレン水中和容器７は、コンプレッションリブ４２ｄが長孔４１ｂに挿入されることで概略位置を決定され、水平片４１ａ上にて保持される。
【００４９】
図６に示すように一対の吊り金具４０はそれぞれ、ねじ又はスポット溶接などの固定手段で燃焼ガス排気部６１に固定されている。吊り金具４０は、鉛直下方に延びる鉛直片４０ａを有し、この鉛直片４０ａには貫通孔４０ｂが設けられている。図９に示すように、ドレン水中和容器７の天井壁７ｅには、一対のコンプレッションリブ４２ｅ、４２ｅが形成されており、このコンプレッションリブ４２ｅと鉛直片４０ａの貫通孔４０ｂは、ねじ固定可能に配置されている。これらをねじ固定することで、ドレン水中和容器７は、燃焼機器１の内部に固定保持される。
このようにドレン水中和容器７は、下方においては、水平片４１ａの長孔４１ｂにコンプレッションリブ４２ｄを挿入することで保持され、上方においては、２か所のねじ止めで固定されることで、容易な取り外しが可能となる。したがって、ドレン水中和容器７のメンテナンス作業を容易に行うことができる。なお、ドレン水中和容器７の取り外しは、浴室側へ燃焼機器１本体内部を引き出した状態で行う。
【００５０】
以上に、本発明の様々な実施形態を説明したが、各実施形態における各構成およびそれらの組み合わせ等は一例であり、本発明の趣旨から逸脱しない範囲内で、構成の付加、省略、置換、およびその他の変更が可能である。また本発明は実施形態によって限定されることはない。
【符号の説明】
【００５１】
１…燃焼機器（壁貫通設置型燃焼機器）、５…ドレン水受け皿、７…ドレン水中和容器、１１…中和剤、１３…二次熱交換器、１４…一次熱交換器、１５…燃焼部、１７…壁面、１７Ａ…開口、１９…浴室、２１…屋外、３２…浴槽、３３…ドレン水流入部、３４…中和容器本体、３４ａ…底部、３５…ドレン水排出部、３５Ａ、３５Ｂ…管路、３６…封水トラップ部、３６ａ…貯水部、３６ｂ…仕切り壁、３９…検知装置、４２ｂ、４２ｃ、４２ｄ、４２ｅ…コンプレッションリブ、４３…ドレン水詰まり検知部（検知部）、４４…ドレン水、４６…潜熱回収式熱交換装置、５１…外装ケース、５９…セラミックヒータ、Ｗ１、Ｗ２…幅
【図１】
2015094493.tif 000003
【図２】
2015094493.tif 000004
【図３】
2015094493.tif 000005
【図４】
2015094493.tif 000006
【図５】
2015094493.tif 000007
【図６】
2015094493.tif 000008
【図７】
2015094493.tif 000009
【図８】
2015094493.tif 000010
【図９】
2015094493.tif 000011
【図１０】
2015094493.tif 000012